(57)【特許請求の範囲】
【請求項１】
少なくとも表面保護層、情報表示層、再帰反射要素が設置された再帰反射層および背面保護層がこの順に重ねられた再帰反射性表示装置において、
これらの層またはいずれかの層の間に電波方式認識型集積回路を内蔵する１又は２以上の電波認識装置が設置され、
該電波方式認識型集積回路に接続された１又は２以上の通信用アンテナが、該再帰反射要素の反射面上に凹凸形状に形成されている
ことを特徴とする電波認識装置を具備した再帰反射性表示装置。
【請求項２】
該再帰反射要素が、多数のキューブコーナープリズム型再帰反射素子によって構成されている請求項１に記載の再帰反射性表示装置。
【請求項３】
該キューブコーナープリズム型再帰反射素子が、内部全反射型キューブコーナープリズムによって構成されている請求項２に記載の再帰反射性表示装置。
【請求項４】
該キューブコーナープリズム型再帰反射素子が、キューブコーナープリズム及びその上に設けられた金属薄膜層とから成る鏡面反射型キューブコーナープリズムによって構成されている請求項２に記載の再帰反射性表示装置。
【請求項５】
該再帰反射要素が、多数の微小硝子球型再帰反射素子によって構成されている請求項１に記載の再帰反射性表示装置。
【請求項６】
該微小硝子球型再帰反射素子が、微小硝子球型素子及びその上に設けられた金属薄膜層によって構成されている請求項５に記載の再帰反射性表示装置。
【請求項７】
該微小硝子球型再帰反射素子が、微小硝子球型素子及びその上に樹脂の薄膜層を介して設けられた金属薄膜層によって構成されている請求項５に記載の再帰反射性表示装置。
【請求項８】
前記キューブコーナープリズムまたは微小硝子球型素子の上に設けられた金属薄膜層が連続した層をなさず電気的に絶縁された領域に区分されていることを特徴とする請求項４，６および７のいずれか１に記載の再帰反射性表示装置。
【請求項９】
該微小硝子球型素子の上に設けられた金属薄膜層が微小硝子球型素子の間で連続した層をなさず電気的に絶縁された微小硝子球型素子として独立していることを特徴とする請求項８に記載の再帰反射性表示装置。
【請求項１０】
少なくとも該通信用アンテナが設置された領域にある前記キューブコーナープリズムまたは微小硝子球型素子の上に設けられた金属薄膜層が連続した層をなさず電気的に絶縁された領域に区分されていることを特徴とする請求項８または９に記載の再帰反射性表示装置。
【請求項１１】
少なくとも該通信用アンテナが設置された領域にある前記キューブコーナープリズムまたは微小硝子球型素子の上に設けられた金属薄膜層が除去されていることを特徴とする請求項１０に記載の再帰反射性表示装置。
【請求項１２】
通信用アンテナが設置されている電波方式認識型集積回路を内蔵する電波認識装置が２個以上設置されており、該電波認識装置が電気回路により接続されて、該電波認識装置に記憶される電子情報が共有されていることを特徴とする請求項１〜１１のいずれか１に記載の再帰反射性表示装置。
【請求項１３】
通信用アンテナが設置されている電波方式認識型集積回路を内蔵する電波認識装置が２個以上設置されており、これら電波認識装置の伝播周波数が異なっていることを特徴とする請求項１〜１２のいずれか１に記載の再帰反射性表示装置。
【請求項１４】
少なくとも表面保護層、情報表示層、再帰反射要素が設置された再帰反射層および背面保護層がこの順に重ねられた再帰反射性表示装置のいずれかの層またはこれら層の間に集積回路を内蔵する１又は２以上の電波認識装置が設置されており、該電波認識装置が電波方式認識型集積回路を内蔵しており、該電波方式認識型集積回路に接続された１又は２以上の通信用アンテナが、該再帰反射要素の反射面上に凹凸形状に形成されている電波認識装置を具備した再帰反射性表示装置において、
該再帰反射層の背面に照明装置が配置され、該再帰反射層が標識前面からの光に対して再帰反射性であり標識内部からの光に対して光透過性であり、該表面保護層、該情報表示層、該再帰反射層、該背面保護層、該電波認識装置および該照明装置を閉鎖保持する矩体とからなる内部照明式標識構造を有する
こと特徴とする電波認識装置を具備した内部照明式再帰反射性表示装置。
【請求項１５】
該再帰反射層を構成する再帰反射要素が、キューブコーナープリズム型再帰反射素子によって構成されている請求項１４に記載の内部照明式再帰反射性表示装置。
【請求項１６】
該キューブコーナープリズム型再帰反射素子が、内部全反射型キューブコーナープリズムによって構成されている請求項１５に記載の内部照明式再帰反射性表示装置。
【請求項１７】
該キューブコーナープリズム型再帰反射素子が、キューブコーナープリズム及びその上に面積率が８０％未満で部分的に設けられた金属薄膜層とから成る鏡面反射型キューブコーナープリズムによって構成されている請求項１５に記載の内部照明式再帰反射性表示装置。
【請求項１８】
該キューブコーナープリズム型再帰反射素子が、三角錐型キューブコーナー素子、フルキューブ型キューブコーナー素子、テント型キューブコーナー素子およびクロスプリズム素子の群より選ばれた少なくとも１種類のキューブコーナープリズム型再帰反射素子である請求項１５〜１７のいずれか１に記載の内部照明式再帰反射性表示装置。
【請求項１９】
該再帰反射層を構成する再帰反射要素が、微小硝子球型再帰反射素子によって構成されている請求項１４に記載の内部照明式再帰反射性表示装置。
【請求項２０】
該微小硝子球型再帰反射素子が、微小硝子球型素子及びその上に面積率が８０％未満で部分的に設置された金属薄膜層によって構成されている請求項１９に記載の内部照明式再帰反射性表示装置。
【請求項２１】
前記キューブコーナープリズムまたは微小硝子球型素子の上に面積率が８０％未満で部分的に設けられた金属薄膜層が連続した層をなさず電気的に絶縁された領域に区分されていることを特徴とする請求項１７〜２０のいずれか１に記載の内部照明式再帰反射性表示装置。
【請求項２２】
前記再帰反射性内部照明標識に用いる照明装置が、背面投光式照明装置または側面投光式照明装置のいずれかであることを特徴とする請求項１４〜２１のいずれか１に記載の内部照明式再帰反射性表示装置。
【請求項２３】
少なくとも表面保護層、情報表示層、再帰反射要素が設置された再帰反射層および背面保護層がこの順に重ねられた再帰反射性表示装置のいずれかの層またはこれら層の間に集積回路を内蔵する１又は２以上の電波認識装置が設置されており、該電波認識装置が電波方式認識型集積回路を内蔵しており、該電波方式認識型集積回路に接続された１又は２以上の通信用アンテナが該再帰反射要素の反射面上に凹凸形状に形成されている電波認識装置を具備した再帰反射性表示装置において、
再帰反射層の背面にエレクトロルミネッセンス原理による照明装置が配置され、該再帰反射層が標識前面からの光に対して再帰反射性であり標識内部からの光に対して光透過性であること特徴とする電波認識装置を具備したエレクトロルミネッセンス内部照明式再帰反射性表示装置。
【請求項２４】
該再帰反射層を構成する再帰反射要素が、キューブコーナープリズム型再帰反射素子によって構成されている請求項２３に記載のエレクトロルミネッセンス内部照明式再帰反射性表示装置。
【請求項２５】
該キューブコーナープリズム型再帰反射素子が、内部全反射型キューブコーナープリズムによって構成されている請求項２４に記載のエレクトロルミネッセンス内部照明式再帰反射性表示装置。
【請求項２６】
該キューブコーナープリズム型再帰反射素子が、キューブコーナープリズム及びその上に面積率が８０％未満で部分的に設けられた金属薄膜層とから成る鏡面反射型キューブコーナープリズムによって構成されている請求項２４に記載のエレクトロルミネッセンス内部照明式再帰反射性表示装置。
【請求項２７】
該キューブコーナープリズム型再帰反射素子が、三角錐型キューブコーナー素子、フルキューブ型キューブコーナー素子、テント型キューブコーナー素子およびクロスプリズム素子の群より選ばれた少なくとも１種類のキューブコーナープリズム型再帰反射素子である請求項２４〜２６のいずれか１に記載のエレクトロルミネッセンス内部照明式再帰反射性表示装置。
【請求項２８】
該再帰反射層を構成する再帰反射要素が、微小硝子球型再帰反射素子によって構成されている請求項２３に記載のエレクトロルミネッセンス内部照明式再帰反射性表示装置。
【請求項２９】
該微小硝子球型再帰反射素子が、微小硝子球型素子及びその上に面積率が８０％未満で部分的に設置された金属薄膜層によって構成されている請求項２８に記載のエレクトロルミネッセンス内部照明式再帰反射性表示装置。
【請求項３０】
前記キューブコーナープリズムまたは微小硝子球型素子の上に面積率が８０％未満で部分的に設けられた金属薄膜層が連続した層をなさず電気的に絶縁された領域に区分されていることを特徴とする請求項２６〜２９のいずれか１に記載のエレクトロルミネッセンス内部照明式再帰反射性表示装置。
【発明の詳細な説明】
【技術分野】  本発明は、再帰反射性表示装置に関し、更に詳細には、電波認識装置を具備した再帰反射性表示装置、電波認識装置を具備した内部照明式再帰反射性表示装置、及びエレクトロルミネッセンス内部照明式再帰反射性表示装置（以下、ＥＬ内照式再帰反射性表示装置とも言う）に関する。
詳しくは、本発明は、通信用アンテナを介して電波認識装置との情報交換を行うと共に、特に夜間において本発明の表示装置の所在、所有者または観察者の接近、および表示装置に描かれた文字や模様などの情報を、光を照射することにより再帰反射原理で遠方より認知できる再帰反射性表示装置に関する。
詳しくは、本発明は、通信用アンテナを介して電波認識装置との情報交換を行うと共に、特に夜間において本発明の表示装置の所在、所有者または観察者の接近、および表示装置に描かれた文字や模様などの情報を再帰反射層の背面に照明装置により遠方より認知でき、さらに外部から光を照射することにより内部照明装置が停電などのトラブルにより光が発せられない場合においても再帰反射原理で遠方より認知できる再帰反射性表示装置に関する。
詳しくは、本発明は、通信用アンテナを介して電波認識装置との情報交換を行うと共に、特に夜間において本発明の表示装置の所在、所有者または観察者の接近、および表示装置に描かれた文字や模様などの情報を再帰反射層の背面にＥＬ原理による照明装置により遠方より認知でき、さらに外部から光を照射することによりＥＬ内照式装置が停電などのトラブルにより光が発せられない場合においても再帰反射原理で遠方より認知できるＥＬ内照式再帰反射性表示装置に関する。
さらに詳しくは、本発明は、該通信用アンテナが、再帰反射要素の反射面上に形成されている再帰反射性表示装置に関する。
本発明による再帰反射性表示装置は各種の商業看板、各種の交通用途に用いる標識として交通標識、工事標識、案内標識または車輌ナンバープレートに用いることができる。
【背景技術】  従来のＩＣカードにおいては、集積回路を内蔵する電波認識装置、該認識装置を担持するコア層および／またはインナー層よりなる担持層、担持層の上部及び下部面を保護する上部保護層ならびに下部保護層からなっており、該積層品は、たとえば、上部保護層に設置されている外部接触端子や担持層上に設置された通信用アンテナなどを通じて、集積回路と外部との情報交換を行っている。
従来の外部接触端子が設置された接触型ＩＣカードにおいては、たとえば、上部保護層に設置されている外部接触端子を通じて外部の読取り兼書込み機（以降、リーダーライターと言う）との電子信号情報の交換や電力の供給を行っている。
また通信用アンテナ（以降、単にアンテナとも言う）が設置された非接触型ＩＣカードにおいては、担持層上に設置されたアンテナなどを介して、集積回路、たとえば、電波方式認識型集積回路などの集積回路モジュールと外部のリーダーライターとの間で、電力の供給や電子信号情報の交換を行っている。
非接触型ＩＣカードにおいては集積回路封入積層品とリーダーライターとの距離によりさらに、密着型（２ｍｍ以内）、近接型（１０ｃｍ以内）、近傍型（７０ｃｍ以内）および遠隔型（７０ｃｍ以上）に分類され、電波を飛ばす距離が短い密着型と近接型は短波、近傍型は長波、遠隔型においてはマイクロ波が通常用いられる。
上記アンテナが設置された非接触型ＩＣカードの形成方法に関しては、従来よりさまざまな方法が提案されてきた。これらアンテナを形成する方法としてはあらかじめ設置された金属層をエッチングなどの手段で部分的に除去してアンテナを形成する方法、部分的に金属層を設置してアンテナを形成する方法、導電性のインキを用いてアンテナを形成する方法、および、金属製の細線を巻きつけてコイル状に形成してアンテナにする方法が知られている。
これらのアンテナの形成方法を開示した従来技術としては、堀尾の特開平１１−１３４４６１および同公報の対応米国特許ＵＳＰ６，１６０，５２６、生藤らの特開平１０−３２０５１９および同公報の対応欧州公開公報ＥＰ１０１４３０１Ａ１、折原らの特開平８−２８７２０８および同公報の対応米国特許ＵＳＰ５，７０５，８５２、岡村らの特開２００２−０７４３０１および同公報の対応米国公開公報ＵＳ２００２／２４４７５、林らの特開２０００−２５１０４７および同公報の対応欧州公開公報ＥＰ１０３３７７８Ａ２さらに特開２０００−１０５８１０および同公報の対応欧州公開公報ＥＰ１０３９４１１Ａ１があげられ、これら特許の記載を持って説明にかえる。
一方、多数の再帰反射素子が設置されてなる再帰反射シートや再帰反射成形物品（以降、あわせもって再帰反射シートという）は交通標識、安全器具、反射ステッカー、商業看板や光センサー反射体として、特に夜間において、光源に向けて光を反射させる安全、表示器具として用いられている。
上記再帰反射シートはシートの内部に微小硝子球型やキューブコーナープリズム型再帰反射素子が多数設置されており、光源から再帰反射素子に入射した光がふたたび光源に向かって反射されるように設計されている。
例えば、ＭｃＧｒａｔｈの米国特許第４，０２５，１５９号には微小硝子型再帰反射素子を用いた再帰反射シートに関して記載されており、また、Ｈｏｏｐｍａｎの米国特許第４，５８８，２５８号にはキューブコーナープリズム型再帰反射素子を用いた再帰反射シートに関して記載されている。また、三村の米国特許第６，０８３，６０７号には再帰反射の角度特性が改善されたキューブコーナープリズム型再帰反射素子を用いた再帰反射シートに関して記載されている。
さらに、再帰反射シートと記憶媒体を具備した製品としては、塚根らの特開昭５９−５８６３０にはガラスビーズからなる再帰反射層と磁気記録層とをもつ製品が開示されている。
バントリによる特表平９−５０８９８３には一体型再帰反射式電子表示装置が開示されている。この特許の記載によれば、視覚及び電磁情報通信用の再帰反射式装置であって、入射光を再帰反射するための、視覚情報を有した再帰反射シートにして、単層の再帰反射式微小球体群を一面に埋め込んで有するベースシートを具備し、該ベースシートか、該微小球体群の下方に透明材料を介して離間配置された光の正反射手段を備えてなる再帰反射シートと、電磁通信のためのアンテナ手段と、前記アンテナ手段への結合を可能にする結合手段、とを具備した装置が開示されている。
さらに、バントリによる特表平１１−５０５０５０には安全識別装置を有する電子ライセンスプレートが開示されている。この特許の記載によれば、複数の遠隔交通管理ステーションが電子ライセンスプレートと通信する電子車両通信装置に使用するための電子ライセンスプレート装置であって、視覚識別情報、および限定情報であって少なくとも１つのタイプの車両識別情報を含む限定情報であって前記遠隔ステーション又は車両によって変更することができない限定情報を保存するための識別手段を含むライセンスプレート、非限定的情報であって、少なくとも１つの遠隔ステーションまたは車両によって変更することができる非限定情報を保存するための情報手段、前記識別手段および前記情報手段に動作的に接続されて前記遠隔ステーションとの通信内容を処理するための通信手段、前記通信ステーションとの通信内容を送受信するためのアンテナ手段、車両に固定され、前記ライセンスプレート部分を、情報手段を交換することを必要とせずに交換するように、前記ライセンスプレート部分を車両に交換自在に取り付けるための取付手段を含む、電子ライセンスプレート装置が開示されている。
マーチンの特開平４−２２９２４４号においては，逆反射マイクロプリズム面上に形成された金属付着層に部分的に接着層を形成し，接着層により保護されていない金属層を引き剥がすことにより，部分的に金属層の設置されていない逆反射マイクロプリズムシートの形成方法が開示されている。また，部分的に設置する接着剤層（保護コーティング材）は後工程における溶剤処理段階にて甚だしい悪影響を受けない感圧接着剤であるのが望ましいと記載されている。さらに，設置する方法としては印刷法が記載されている。
さらに，マーチンの特開平１−２３１００４号においては，逆反射マイクロプリズム面上に形成された金属付着層に部分的に接着層を形成し，接着層により保護されていない金属層を引き剥がすことにより，部分的に金属層の設置されていない逆反射マイクロプリズムシートの形成方法と，逆反射マイクロプリズム面上に部分的に被覆材料を設置した後に，金属蒸着をほどこし，しかる後に，部分的に被覆した材料を除去することにより部分的に金属層の設置されていない逆反射マイクロプリズムシートの形成方法が開示されている。
また，レーザーにより蒸着層を除去する方法も一般的に用いられている。
ガラノス（Ｇａｌａｎｏｓ）による米国特許第４，２００，８７５号には，露出レンズ型再帰反射シートに，あらかじめ決められたパターンでレーザー法により像を形成する方法が開示されている。
また、内部照明式再帰反射性表示装置に関しても従来から知られている。
たとえば、ブラッドショウらによる特開平１−２９８３９５号においては、
“少なくとも前面と称する一側面において光に透過性である閉鎖容器、および標識の前に入射する光を反射するように配置された立方体コーナー逆反射性シートで構成され、そして立方体コーナー逆反射性シートは：
１）多数の逆反射性立方体コーナー部材を有する被覆層および被覆層に結合した透明材料の基層を含み、そして
２）基層が被覆層に結合した区域を有し、それは
ａ）０度より大きいかまたは等しくそして９０度よりも小さい入射角度を有する内部光に透明であり、
ｂ）立方体コーナー部材によって占められる区域内に配置され、そのような透明区域対全シート区域の割合および相互に関するそれらの配置は内面的照明、逆反射光、またはその双方の手段によって標識を見ることを許容するように固定される
内面的に照明される標識”
が開示されている。
また、ベンソンらによる特開平２−２８５３０１号においては、
“交差する３組の並行の溝により形成され、底部と、底縁部で前記底部と交差する横面を有するプリズム要素と、前記底部上の分離面とを含む部分的に透明の逆反射製品において、
（ａ）各組の溝が、その組に対しては一定である溝の側方角を有し、かつ
（ｂ）前記分離面が透明であって、前記プリズム要素の前記横面の底縁部で画成され前記の溝の中の少なくとも１個の溝において前記プリズム要素の間に位置し、
該分離面が位置しているいずれかの溝に沿ったいずれかの点においてとった該溝の断面が湾曲している、ことを特徴とする逆反射製品”を用いて”正面側として指示する少なくとも一方の側において光を透過させるカバーと、標識の正面に入射する光線を反射させるカバーと、標識の正面に入射する光線を反射するように位置した逆反射性シートとを含む内部照射標識“
が開示されている。
また、本発明の発明者らは、特願２００２−１９８３７１において、少なくとも一つの平面または曲面を有し、標識前面からの光に対して再帰反射性であり標識内部からの光に対して光透過性の面を有する情報表示部、該情報表示部の背面に配置された照明装置およびこれら情報表示部と照明装置を閉鎖保持する矩体とからなる内部照明式標識において、上記の再帰反射性の情報表示部に用いる再帰反射性の素子が内部全反射原理に基づくプリズム型再帰反射性素子であり、この素子の多数の密接した集合体によりなる再帰反射素子集合面は連続した再帰反射面を形成し、少なくとも情報表示部の再帰反射部分においてプリズム背面は他の層との結合部分を有せず、実質的に密封封入構造を有しないことを特徴とする再帰反射性の内部照明標識を開示している。
しかしながら、上記いずれの特許にも、少くとも、集積回路を内蔵する電波認識装置と、光の再帰反射層とからなることを特徴とする再帰反射性表示装置、詳しくは、電波認識装置が電波方式認識型集積回路を内蔵しており、該電波方式認識型集積回路に接続された通信用アンテナが設置されている再帰反射性表示装置、さらに詳しくは、通信用アンテナが、再帰反射要素の反射面上に形成されている再帰反射性表示装置はいずれも開示されていない。
本発明の発明者は、国際出願ＰＣＴ／ＪＰ０２／０６０７０において、少くとも、集積回路を内蔵する集積回路モジュールと、光の再帰反射要素と、これらの担持層とからなることを特徴とする再帰反射性集積回路封入製品を発明を行い、上記に記載の発明に対する改善を行っている。
さらに、同発明においては該集積回路モジュールが電波方式認識型集積回路を内蔵しており、該電波方式認識型集積回路に接続された通信用アンテナが設置されている再帰反射性集積回路封入製品も開示している。
上記のＩＣカードにおいては、ＩＣカードに記憶されている情報内容は、接触型ＩＣカードにおいてはリーダーライターにカードを挿入しなければ通信できないという不具合があった。また、非接触型ＩＣカードにおいても電波が認識可能な距離まで接近することが必要で認識距離以前に事前認識できないという問題があった。
また、有料道路における非接触型ＩＣカードを利用した双方向無線通信による料金精算システム（以降、ノンストップ自動料金システムと言う）においては、該ＩＣカードとリーダーライター（路側通信用アンテナ）との距離が長いために、通常は車内に車載器を搭載しＩＣカードとの通信を補助する必要があるという不具合があった。
そのために、ＩＣカードとリーダーライター（路側通信用アンテナ）とが通信可能な距離まで接近するまではＩＣカード搭載の車両であるか、通常の現金支払いの車両であるかの判別が困難であり、特に、ノンストップ自動料金システムと現金支払い混在の料金所において特に夜間において料金徴収者が目視で事前認識できないという問題があるために、自動支払いゲートと現金支払いゲートとを分ける必要がある。
本発明による再帰反射性表示装置は各種の商業看板、各種の交通用途に用いる標識として交通標識、工事標識、案内標識または車輌ナンバープレートに用いて、これら標識類に表示されている情報を夜間においても認識可能とするとともに、電波認識装置によってこれら標識内に設置された集積回路に記憶された電子情報を読み書きすることによりさらに高度の情報の交換を可能とするものである。
とくに、本発明の技術を車輌ナンバープレートに用いることにより車体の型式、色、製造年月日などの車体製造情報、所有者情報、登録情報、納税情報、事故保険情報、点検整備情報などの車輌固有情報を総合的に管理することができる。
したがって、本発明の技術の導入により、近年増加して社会問題化しつつある車輌やナンバープレートの盗難、税金の未納、事故保険への未加入、法定点検整備の未実施などの問題点を促進、解決あるいは管理することを可能とならしめるものである。
また、交通標識への応用は、車輌に搭載した読取機により運転者に対して運転者の目視による認識以外に、道路規制情報、工事情報、道路案内情報などを提供可能とならしめるものである。
【発明の開示】
本発明は、上記のような問題点を解決する手段として、本発明による電波認識装置を具備した再帰反射性表示装置と読取書込み装置とによる相互通信以前に、確認者がＩＣカードの存在を事前認識することを可能とならしめる手段として、集積回路モジュールが封入された電波認識装置を具備した再帰反射性表示装置に多数の再帰反射素子が設置され、外部からの光を光源に向けて反射することを可能とする。
さらに詳しくは、少なくとも表面保護層、情報表示層、再帰反射層および背面保護層および集積回路を内蔵する電波認識装置とからなることを特徴とする再帰反射性集積回路封入製品において、上記の再帰反射層に多数の再帰反射要素を設置して外部からの光を光源に向けて反射することを可能とする。
さらに、再帰反射による光の反射は観測者が大きな入射確度となる位置にいる場合は視認性が著しく低下するが、本発明による再帰反射性表示装置においては、再帰反射層の背面に照明装置が配置され、再帰反射層が標識前面からの光に対して再帰反射性であり標識内部からの光に対して光透過性であるために、大きな観測角を持つ位置に立つ観測者に対しても優れた視認性を与える。
本発明に用いる再帰反射要素とは、キューブコーナープリズム型再帰反射素子（以降、ＣＣ素子とも言う。）、または微小硝子球型再帰反射素子によって構成されている。
本発明の好ましい形態の再帰反射素子であるＣＣ素子が、三角錐型キューブコーナー素子、フルキューブ型キューブコーナー素子、テント型キューブコーナー素子およびクロスプリズム素子の群より選ばれた少なくとも１種類のキューブコーナープリズム型再帰反射素子などを用いる事ができる。なかでも、三角錐型ＣＣ素子が微小な再帰反射要素を形成しやすく、薄い製品を形成することが容易なために好ましい。
これらＣＣ素子は微小硝子球型再帰反射素子のように金属薄膜層を設置して光をプリズム反射面上で反射する鏡面反射型ＣＣ素子や、プリズム背面に空気などの屈折率の小さな層を設置した素子とすることにより内部全反射原理により光をプリズム反射面上で反射する内部全反射型ＣＣ素子を用いることができる。この内部全反射型ＣＣ素子は微小硝子球型再帰反射素子のように金属薄膜層を設置する必要が無いので、内部に設置された照明装置からの光を通過しやすく、また、金属薄膜層の色により再帰反射性集積回路封入製品の外観が暗くならないので事前認識性の面で好ましい。
さらに、非接触型再帰反射性集積回路封入製品においては、内部全反射型ＣＣ素子は金属薄膜層が無いので通信に用いる電波障害を起こさないので、上記の微小硝子球型再帰反射素子や鏡面反射型ＣＣ素子にくらべて好ましい。このような電波障害の防止は微小硝子球型再帰反射素子の金属薄膜層を設置しなければ、同様な効果を得ることができるが、再帰反射面積の減少により事前認識性が低下するという欠点がある。
該キューブコーナープリズム型再帰反射素子に金属薄膜層が設置されている場合は、キューブコーナープリズム及びその上に面積率が８０％未満で部分的に設けられた金属薄膜層とから成る鏡面反射型キューブコーナープリズムによって構成されている再帰反射層を用いた内部照明式再帰反射性表示装置が内部に設置された照明装置からの光を通過しやすく、電波障害を起こしにくいので好ましい。
上記の面積率が８０％未満で部分的に設けられた金属薄膜層はエッチグなどの手段でたとえば綱目状に金属薄膜層を除去しプリズムを露出させることにより形成できる。
面積率が８０％を超える場合には、再帰反射相の外観が暗くなり、内部照明の光透過率が低下するので好ましくない。
また再帰反射層を構成する再帰反射要素は、微小硝子球型再帰反射素子によって構成されていてもよい。
微小硝子球型再帰反射素子は好ましくは直径が３０〜５００μｍで屈折率が１．４〜２．５の微小な硝子球に、焦点距離を調整する樹脂の薄膜層を必要に応じて設置した後に、再帰反射効率を高めるために微小硝子球の４０〜７０％の表面面積をたとえばアルミニウムや銀などの金属を蒸着や化学メッキなどの手段で金属薄膜層を設置して作成することが出来る封入レンズ型を用いることができる。
封入レンズ型の再帰反射素子を用いた再帰反射シートの例としては，再帰反射部分を構成する再帰反射素子の直径が３０〜５００μｍの微小硝子球型再帰反射素子よりなる再帰反射シートが好ましく，表面が平滑で透明な表面保護層により覆われている。３０μｍ未満の直径の反射素子においては，回折効果による光の発散が過大となり再帰反射性能が低下し好ましくなく，５００μｍを超える直径の反射素子においてはシートの厚さが過大となり好ましくない。
さらに、他の微小硝子球型再帰反射要素としてはカプセルレンズ型再帰反射素子を用いることができる。再帰反射部分を構成する再帰反射素子の直径が３０〜５００μｍの微小硝子球型再帰反射素子よりなる再帰反射シートが好ましく，表面保護層を構成するプラスチックフイルムは表面が平滑で透明である。封入レンズ型再帰反射シートと同様に３０μｍ未満の直径の反射素子においては，回折効果による光の発散が過大となり再帰反射性能が低下し好ましくなく，５００μｍを超える直径の反射素子においてはシートの厚さが過大となり，また，形成される像の鮮明度が低下するので好ましくない。
また、上記の微小硝子球型再帰反射素子は、微小硝子球型素子及びその上に面積率が８０％未満で部分的に設置された金属薄膜層によって構成されているのが内部に設置された照明装置からの光を通過しやすく、電波障害がおきにくいので好ましい。
面積率が８０％を超える場合には、再帰反射相の外観が暗くなり、内部照明の光透過率が低下するので好ましくない。
本発明の製品を構成する再帰反射層は、国際出願ＰＣＴ／ＪＰ０２／０６０７０において開示されているような、少くとも、集積回路を内蔵する集積回路モジュールと、光の再帰反射要素と、これらの担持層とからなることを特徴とする再帰反射性集積回路封入製品を用いることが好ましい。
この様な製品を利用する場合には電子認識装置が再帰反射層に内蔵されているが、この電子認識装置は表面保護層、情報表示層、再帰反射層および背面保護層のいずれかの層の間に少なくとも１個設置することができる。
あるいは、搬送周波数特性の異なる電波方式認識型集積回路を内蔵する電子認識装置や形状の異なるアンテナを２個以上設置されており、該電子認識装置が電気回路により接続されて、該電子認識装置に記憶される電子情報が共有されていてもよい。
搬送周波数特性の異なる電波方式認識型集積回路を２個以上組み合わせて用いることは、異なった交信距離や交信速度を組み合わせることにより、たとえば、遠距離型と近接型の読取書込み機の組合せを可能とする。
ＩＳＯ規格ＳＣ３１−１８０００において制定ないし審議されている搬送周波数は１３５ｋＨｚ（１８０００−２）、１３．５６ｋＨＺ（１８０００−３）、２．４５ＧｋＨｚ（１８０００−４）、５．８５ＧＨｚ（１８０００−５）、８６０−９３０ｋＨｚ（１８０００−６）および４３３．９２ｋＨｚ（１８０００−７）があるが、これらの搬送周波数をもつ電波方式認識型集積回路を２個以上組み合わせて用いることが可能であるが、特にこの周波数帯域に限定されるものではない。
さらに、異なった変調方式、たとえば、振幅変調（ＡＭ）、振幅シフトキーイング（ＡＳＫ），ＯＮ／ＯＦＦキーイング（ＯＯＫ），２相位相シフトキーイング（ＢＰＳＫ）、位相シフトキーイング（ＰＳＫ）および周波数シフトキーイング（ＦＳＫ）などによる交信方法を組み合わせることにより、交信精度の改善や情報伝達の情報秘密保護などを可能とならしめる。
また、該電子認識装置が電気回路により接続されて、該電子認識装置に記憶される電子情報が共有されて高度で大量の情報処理を可能とならしめる。
本発明に用いることのできる通信用アンテナの形状とサイズは特に限定されるものではないが、形状の例としてはコイル状やループ状アンテナを用いることができる。
とくに、車輌ナンバープレートにおいては、プレート全体が再帰反射することが好ましく、たとえば、英国規格ＢＳ  ＡＵ  １４５ｄ：１９９８  Ｓｐｅｃｉｆｉｃａｔｉｏｎ  ｆｏｒ  Ｒｅｔｒｏｒｅｆｌｅｃｔｉｎｇ  ｎｕｍｂｅｒ  ｐｌａｔｅｓには再帰反射規格に関する規定が詳しく定められており、その規格の図面１には再帰反射すべき最小限の領域が示されている。
この英国規格の図面１においてはナンバープレートの外周囲６ｍｍは再帰反射をすることの定めがなされておらず、この領域にループ形状のアンテナを設置することは上記英国規格の合致や最大寸法のアンテナを設置することができるために特に好ましい。
さらにこの電波方式認識型集積回路と外部との通信を可能とする通信用アンテナは金属の細線、箔や蒸着金属をメッシュ状、線状やループ状に、担持層（コア層やインナー層）の上にアンテナを設置することができる。
電波方式認識型集積回路と通信用アンテナは、共に本発明を構成する各層の間や層の内部に設置されており、外部からの電力を供給するための給電コネクターや電子信号を伝えるための、誘電体を介した電磁結合構造などを必要としない。したがって、本発明におけるアンテナと電波方式認識型集積回路は直接またはジャンパーを介して結合されている。結合の方法としては導電性接着剤、異方性接着シート、はんだ法、蝋付けおよび溶接法を用いることができる。
本発明に用いる通信用アンテナを形成する方法としては、部分的に金属薄膜層を設置する部分的設置法、金属薄膜層を部分的に除去する部分的除去法および機械的加工法を採用することができる。
部分的設置法としては、印刷法、マスク法やリソグラフィー法により、マスクをアンテナを設置するシートの層の上に設置した後に、真空蒸着法、スパッタリング法、電気メッキ法あるいは化学メッキ法などの手段で金属薄膜層を所望するアンテナ形状に設置する方法をとることができる。
再帰反射シートに部分的設置法によりアンテナを設置する際には、微小硝子球型再帰反射シートにおいては微小硝子球を埋め込み、必要に応じて微小硝子球型素子及びその上に樹脂の薄膜層を介して設ける微小硝子球の金属薄膜層を設置する側にマスクを設置した後にアルミニウムを真空蒸着法によって、アンテナと金属薄膜層とを同時に同一の層に設置することができる。この様にして形成したアンテナは再帰反射性能を有している。また、プリズム型再帰反射シートにおいても同様にプリズムの反射側面にアンテナと金属薄膜層とを同時に同一の層に設置することができる。
部分的除去法としては、アンテナを設置するシートの上に真空蒸着法、スパッタリング法、電気メッキ法あるいは化学メッキ法などの手段であらかじめ金属薄膜層を設置した後に、化学エッチング法、ドライエッチング法、レーザー法およびサンドブラストなどの機械的な除去法により、所望するアンテナ形状に金属薄膜層を部分的に除去をする方法をとることができる。
再帰反射シートに部分的除去法によりアンテナを設置する際には、微小硝子球型再帰反射シートやプリズム型再帰反射シートに従来公知の方法でアルミニウム等を真空蒸着法によって金属薄膜層として全面に設置した後に、たとえば、印刷法によりエッチング液をアンテナの形状を残す様に部分的に塗布して化学エッチング法によりアンテナを形成し、その後に、エッチング液を中和、水洗する方法をとることが好ましい。
化学エッチング液に用いることのできる薬剤としては、各種の酸やアルカリ類を用いることができる。用いることのできる酸類の例としては、塩酸、硝酸、硫酸およびリン酸の水溶液、アルカリ類の例としては水酸化ナトリウム、水酸化カリウムの水溶液を用いることができる。化学エッチング液の濃度は酸やアルカリの種類、金属薄膜層の厚さやエッチング処理の速度により適宜選択されなければならないが、５〜４０重量％が例示できる。
化学エッチング処理を印刷法で行う際には、印刷性を改善する目的で粘度調節剤として各種の高分子化合物、たとえば、ポリエチレングリコール、ポリプロピレングリコール、アルギン酸ナトリウム、ポリアクリル酸塩、ポリビニールアルコールおよびヒドロキシエチルセルロース、カルボキシル化メチルセルロースやメチルセルロースなどの各種セルロース誘導体などを加えることが好ましいが、用いることのできる粘度調節剤の種類と濃度は印刷方法や速度により適宜選択することができ、特に制限されるものではない。
さらに、化学エッチング液には金属薄層との濡れや浸透性を改善する目的で各種の界面活性剤をくわえることが好ましい。用いることのできる界面活性剤の種類は特に制限されるものではないが、アミンタイプ、アンモニウム塩タイプ、ピリジン誘導体などの陽イオン系界面活性剤、また硫酸化油、脂肪酸塩、硫酸化エステル油、アルキル硫酸エステル塩などのアニオン系界面活性剤、さらに多価アルコールの部分的脂肪酸エステル、脂肪酸エチレンオキサイド付加物などの非イオン系活性剤が好ましい。
印刷方法は特に制限されるものではないが、グラビア印刷法、スクリーン印刷法およびインクジェット法が好ましい。また、他の除去法としてドライエッチング法、レーザー法およびサンドブラスト法などの機械的な除去法も採用することが可能である。
機械的加工法としては、金属薄板を打抜き法やレーザー加工法でアンテナ形状に加工する方法、細線状の金属線をループ状に加工する方法によりアンテナを加工した後に、担持層に設置する方法が採用できる。
いずれの方法においても、金属薄膜層やアンテナの材質として用いることのできる金属としては、アルミニウム、アルミニウム−マグネシウム合金、アルミニウム−マンガン合金、銀、銅、ニッケル、銅−ニッケル合金、真鍮およびリン青銅をそれぞれ単独に，あるいは複合、積層して設置することができ、その中でも、アルミニウムと銅が電波受信の性能が優れており好ましい。
好ましい、通信用アンテナ部分の金属薄膜層の厚さは０．２〜５００μｍである。０．２μｍ未満の金属薄膜層の厚さにおいては、電波受信の性能が低下する、再帰反射シートの反射層として用いる際には鏡面反射特性が低下するなどの問題点を生じやすく好ましくない。また、５００μｍを超える金属薄膜層の厚さにおいては、シートの厚さが過大になる、シートの柔軟性が低下する、屈曲性が低下する、アンテナを形成する際に解像度が低下して鮮明なパターンとして得られにくいなどの問題点を生じやすく好ましくない。
さらに、アルミニウムは再帰反射シートの金属薄膜層として用いる際には優れた光学特性を示すので特に好ましい。アルミニウム金属薄膜層の連続蒸着処理装置は、真空度が７〜９×１０−４ｍｍＨｇ程度に維持できる真空容器、その中に設置された基体シート及びその光入射側表面上に積層された表面保護層からなる再帰反射原反シートを繰り出す巻き出し装置、蒸着処理された再帰反射原反シートを巻き取る巻き取り装置、並びにそれらの間にあって、電熱ヒーターで黒鉛坩堝中に置かれたアルミニウムを溶融させることが可能な加熱装置よりなっている。黒鉛坩堝中には純度が９９．９９重量％以上の純アルミニウムペレットが投入され、例えば、交流電圧３５０〜３６０Ｖ、電流が１１５〜１２０Ａ、処理速度が３０〜７０ｍ／分の条件で、溶融され蒸気化されたアルミニウム原子によって再帰反射素子の表面に金属薄膜層を例えば０．２〜２μｍの厚さで蒸着処理することができる。
このようにしてプリズム反射面上に設置された通信用アンテナにおいては、通信用アンテナが設置されていないＣＣ素子部分はもちろん通信用アンテナが設置されているＣＣ素子部分のいずれの領域においても、光を光源に向けて再帰反射することが可能であり、夜間における事前認識性に特に優れている。また、従来技術における通信用アンテナの設置は平坦部分に限られていたのに対して、本発明におけるＣＣ素子のプリズム反射面や微小硝子球上に設置された通信用アンテナは凹凸形状の為に増大したアンテナ面積を得ることができて通信性に優れている。
また、金属薄膜層が設置された再帰反射層においては外部からの電波が金属薄膜層によって電波障害を発生することを防止する目的で、キューブコーナープリズムまたは微小硝子球型素子の上に設けられた金属薄膜層が連続した層をなさず電気的に絶縁された領域に区分することができる。
区画を形成する金属薄膜層の設置されていない区画領域の幅は電気的に絶縁されていればよく、視覚的に認識できないような狭い幅であって構わない。この様な絶縁区画の幅は１μｍ以上が好ましい。区画の形成方法としては前記で例示したエッチング法などを用いることができる。この様な狭い幅の区画領域は夜間における再帰反射が均一に見えて外観の低下を起こさない。
さらに、微小硝子球型素子においては微小硝子球の上に設けられた金属薄膜層が微小硝子球型素子の間で連続した層をなさず電気的に絶縁された微小硝子球型素子として独立していることが好ましい。この様な微小硝子球型再帰反射素子層を得るための方法としてはベイリイらの特開昭６２−１２１０４３号に示された方法が適している。
また、少なくとも該通信用アンテナが設置された領域にある前記キューブコーナープリズムまたは微小硝子球型素子の上に設けられた金属薄膜層が除去されていることが電波障害を防止する上で好ましい。
本発明で用いる電波方式認識型集積回路にはＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  ｏｎｌｙ  Ｍｅｍｏｒｙ）やＥＥＰＲＯＭ（Ｅｌｅｃｔｒｏｎｉｃａｌｌｙ  Ｅｒａｓａｂｌｅ  Ｐｒｏｇｒａｍｍａｂｌｅ  ＲＯＭ）などのメモリー回路により構成され、処理機能、記憶機能及び入出力制御機能が実行できるように設計されている。
また、所謂、ＲＦ−ＩＤ（Ｒａｄｉｏ  Ｆｒｅｑｕｅｎｃｙ−ｉｄｅｎｔｉｆｉｃａｔｉｏｎ  ＩＣ）などと一般に呼ばれる非接触型の電波方式認識型集積回路を内蔵している。
さらに、通信用アンテナを介して外部との情報交換を行う手段として、外部からの電波により発生した誘導起電力を受信信号とカード用起電力とに分配するための検波復調器、２値化回路さらに送信データーを発信するための変調器、ＲＦアンプ、フイルタマッチング回路などが備えられている。
本発明に用いることのできる表面保護層は光学的、電波的に透明であり外部からの紫外線や水分に対して安定なもんであれば特に限定されるものではなく、本発明の発明者による国際出願ＰＣＴ／ＪＰ０２／０６０７０において開示されているような物質を用いることができる。
また、背面保護層も耐久性に優れて、外部からの水分や紫外線などの浸入を保護できるものを適宜採用することができる。
本発明の電波認識装置を具備した再帰反射性表示装置を構成する表面保護層、情報表示層、再帰反射層、背面保護層およびそれら層の間に設置された電波認識装置は各種の方法で接着、接続または一体化されて本発明の表示装置を形成する。
それらの方法としては、各種の接着剤、接着性シート、粘着剤、粘着性シートを用いる方法や加熱圧着によりヒートシールする方法または機械的に固定する方法などをそれぞれ単独であるいは適宜組み合わせて用いることができる。また、各種の感熱接着剤、感圧接着剤、熱硬化、紫外線硬化や電子線硬化タイプの架橋型接着剤あるいは熱融着などの手段で結合する事が出来る。
とくに、表面保護層、情報表示層および再帰反射層を接着するのに用いる各種の接着剤、接着性シート、粘着剤、粘着性シートは光学的に透明で耐久性に優れたものを用いることが好ましく、耐久性を改善する目的で各種の紫外線吸収剤や光安定剤などを添加する事が好ましい。
とくに、光透過性基材に貼付する際には、光透過性と耐熱性の観点からポリ（メタ）アクリル樹脂型感圧接着剤が好ましい。また、耐侯性や耐熱性を改善する目的で、前記上部保護層で用いたと同じ紫外線吸収剤、光安定剤や酸化防止剤などをそれぞれ０．０５〜５重量％の割合で添加する事が好ましい。
本発明に用いる情報表示層とは各種の文字情報、ロゴ、模様、パターン、写真、バーコードなどを設置した層であり、設置方法としてはグラビア印刷、スクリーン印刷、オフセット印刷、インクジェットなどの印刷法、熱転写インクリボンを転写する方法、切り抜き文字などを設置する方法などを適宜採用することができる。
設置する情報表示層は光学的に透明であっても不透明であってもよく、さらに再帰反射性の層として設置されてもよい。
本発明に用いることのできる照明装置は、背面投光式照明装置または側面投光式照明装置のいずれかを用いることができる。それぞれのタイプの照明装置に用いることのできる照明光源としては、蛍光灯、冷陰極管、ハロゲンランプ、キセノンランプ、ナトリウムランプ、ＬＥＤを用いることができる。また、各種の光源は背面反射板や導光板と組み合わせることが均一な明るさを得ることができて好ましい。本発明で用いる背面反射板は光源の中心位置に焦点を持つ放物線曲線断面形状を持ち、光源より発せられた光を情報表示部を構成する面の法線に対して０〜３０度の入射角でプリズム型再帰反射素子の背面から入射することができるように配置されるのが最も好ましい。
用いることのできる光源としては、特にＬＥＤ、その中でも白色ＬＥＤが、低エネルギー、低発熱で高照度の光源として用いることができるので好ましい。
照明光源と導光板と組み合わせは、薄型の内部照明標識を作成するのには優れた照明装置である。用いることのできる導光板は、適宜選択することができるが、たとえば、光反射度の白色シートや乳白色の半透明板、さらに、線状の溝が表面に形成されたプリズムシート、三角錐や四角錐プリズムが表面に形成されたプリズムシートなどを用いることができる。
上記の導光板や面状発光体の採用は、本発明の再帰反射性の内部照明標識に用いる照明装置より発せられる光が、情報表示部を構成する面の法線に対して０〜３０度の入射角でプリズム型再帰反射性素子の背面から入射することを容易として、背面から標識の前面へ通過する光の強さを効率的に高めるために好ましい。入射する光の角度が３０度を超える場合には、効率的な光透過が困難となり好ましくない。
前述の情報表示部と照明装置は、これらを閉鎖保持する矩体により一体化される。矩体の形状は特に限定されるものではないが、直方体や円柱状など適宜選択できる。用いることのできる材質も特に制限されるものではなく、各種の金属やプラスチック、木材、石材などをそれぞれ単独または組み合わせて用いることができる。矩体は、外部からの水やごみの浸入を防ぐように密封構造をとるのが好ましいが、内部から発生した蒸気、熱や侵入水などを外部に排出するような構造も採用することができる。
さらに、矩体の内部または外部には、電源装置などの付属装置を配置することができる。電源装置としては通常の外部交流電源、直流蓄電池および太陽電池などが含まれる。とくに、太陽電池と低エネルギーＥＬ光源との組み合わせによる照明装置は、フリーメンテナンス、長寿命および低エネルギーコストという観点から特に好ましい。
本発明では、エレクトロルミネッセンス材料を用いた面状発光体を光源として用いているので、薄型の内部照明標識を形成するのに適している。また、ＥＬ原理に基づく面状発光式の照明装置は非常に均一な明るさの分布を持つ内部照明標識が得られるので特に好ましい。
上記のＥＬ原理に基づく面状発光体の採用は、本発明の再帰反射性の内部照明標識に用いる照明装置より発せられる光が、情報表示部を構成する面の法線に対して０〜３０度の入射角でプリズム型再帰反射性素子の背面から入射することを容易として、背面から標識の前面へ通過する光の強さを効率的に高めるために好ましい。入射する光の角度が３０度を超える場合には、効率的な光透過が低下して好ましくない。
また、背面保護層も耐久性に優れて、外部からの水分や紫外線などの浸入を保護できるものを適宜採用することができる。
上記のように構成された本発明における再帰反射性表示装置は、読取書き取り機とによる相互通信以前に、確認者が本発明の製品の存在を夜間においても格別な認識手段を用いずに事前認識することを可能とならしめる手段として、電波方式認識型集積回路が設置された再帰反射性表示装置に多数の再帰反射素子が設置された再帰反射層が採用され、外部からの光を光源に向けて反射することができる。また、再帰反射性表示装置の背面に照明装置を設けることにより、広い範囲の観察位置において認識が可能である。
本発明における、再帰反射性表示装置は前記で述べたように、視覚による事前認識性の改善に優れているが、本発明の製品を用いる他の形態としては、例えば、交通標識や車輌ナンバープレートとして用いることができる。本発明による製品に設置された再帰反射層は、例えば、ドライバーに視覚による事前認識情報を与えると共に、反射型センサーの光源より発せられた光を光源近傍の受光器に再帰反射して表示装置の接近を伝える。
本発明に用いる金属薄膜層の設置された再帰反射層キューブコーナープリズムまたは微小硝子球型素子の上に設けられた金属薄膜層が連続した層をなさず電気的に絶縁された領域に区分されているために、外部からの電波に対する電波障害が発生を防止できる。
また、通信用アンテナが設置されている電波方式認識型集積回路を内蔵する電波認識装置が２個以上設置されている再帰反射式表示装置においては、該電子認識装置が電気回路により接続されて、該電子認識装置に記憶される電子情報が共有されているために、高度で大量の情報処理が可能となる。
さらに、通信用アンテナが設置されている電波方式認識型集積回路を内蔵する電波認識装置が２個以上設置されている再帰反射式表示装置においては、これら電波認識装置の伝播周波数が異なっているために長距離認識と近接認識が併用できて高度の情報処理や情報管理を行うことができる。
本発明に用いるエレクトロルミネッセンス光源との組み合わせによる照明装置は薄くて軽量なＥＬ内照式再帰反射性表示装置を作ることができる。
【図面の簡単な説明】  図１は、本発明の電波認識装置を具備した再帰反射性表示装置の最良の形態の構成図である。
図２は、本発明の電波認識装置を具備した再帰反射性表示装置の最良の形態の構成図である。
図３は、本発明の電波認識装置を具備した再帰反射性表示装置の最良の形態に用いるアンテナ装置の外観図である。
図４は、本発明の電波認識装置を具備した再帰反射性表示装置の最良の形態に用いるアンテナ装置の外観図である。
図５は、本発明の電波認識装置を具備した再帰反射性表示装置の最良の形態に用いるアンテナ装置の外観図である。
図６は、本発明の電波認識装置を具備した再帰反射性表示装置の最良の形態の構成図である。
図７は、本発明の電波認識装置を具備した再帰反射性表示装置の最良の形態の断面図である。
図８は、本発明の電波認識装置を具備した再帰反射性表示装置の最良の形態の断面図である。
図９は、本発明の電波認識装置を具備した再帰反射性表示装置の最良の形態の断面図である。
図１０は、本発明の電波認識装置を具備した再帰反射性表示装置の最良の形態の断面図である。
図１１は、本発明による電波認識装置を具備した内部照明式再帰反射性表示装置の最良の形態の構成図である。
図１２は、本発明による電波認識装置を具備した内部照明式再帰反射性表示装置の最良の形態の構成図である。
図１３は、本発明による電波認識装置を具備したＥＬ内照式再帰反射性表示装置の最良の形態の構成図である。
図１４は、本発明による電波認識装置を具備したＥＬ内照式再帰反射性表示装置の最良の形態の構成図である。
【発明を実施するための最良の形態】  まず、図１−１０を参照して、本発明の電波認識装置を具備した再帰反射性表示装置の最良の形態を説明する。
図１は、本発明による１又は２以上の電波認識装置及び１又は２以上の通信用アンテナを具備した再帰反射性表示装置の１例として、電波認識型の再帰反射性車輌ナンバープレートの好適な態様を示す。
表面保護層１は厚さ５ｍｍのポリメタクリレートシートであり、再帰反射層３の表面には車輌番号や各種のロゴなどの情報表示層が印刷されている。電波認識装置７は厚さ５０μｍのポリエチレンテレフタレート製のシートの上はアンテナパターン幅が１ｍｍでループ形状の通信用アンテナと搬送周波数が１３．５６ＭＨｚの電波方式認識型集積回路が導電性接着剤によって電気的に接合されて設置されている。背面保護層５と前記の各層はアクリル系の接着剤２および４によって一体化されている。さらに、外部からの水や汚れの浸入を防止するために塩化ビニール製のカバー６によって保護されている。
再帰反射層は日本カーバイド工業株式会社製の封入型再帰反射シートニッカライトＴＭＭＬＧグレードが採用されており、ループアンテナが設置されている外縁部は幅６ｍｍにわたって、微小硝子球に設置された金属薄膜層が水酸化ナトリウム水溶液を用いたエッチング法により除去されている。
図２は、本発明による電波認識装置を具備した再帰反射性表示装置の他の例として、電波認識型の再帰反射性車輌ナンバープレートの他の好適な態様を示す。
図２における態様においては、電波認識装置７は厚さ５０μｍのポリエチレンテレフタレート製のシートの上に、アンテナパターン幅が１ｍｍでコイル形状の通信用アンテナと搬送周波数が１３．５６ＭＨｚの電波方式認識型集積回路が導電性接着剤によって電気的に接合されて設置されている。
情報表示層が設置された再帰反射層３は日本カーバイド工業株式会社製の内部全反射式プリズム型再帰反射シートニッカライトクリスタルＴＭグレード＃９２８０１が用いられている。この再帰反射層は再帰反射素子上に金属薄膜層が設置されていないので金属薄膜層による電波障害が発生しないので好ましい。
図３〜５は、本発明による電波認識装置を具備した再帰反射性表示装置に用いることのできる通信用アンテナの好適な態様を示す。これらの図に示されている斜線部分はアンテナを示し、黒く塗りつぶした部分は電波認識型集積回路を示しており、これらは、ジャンパー線などを介して導電性接着剤などによって電気的に接合されている。
図３は本発明に用いることのできるループ形状のアンテナを示している。図３には英国規格ＢＳ  ＡＵ  １４５ｄ：１９９８  Ｓｐｅｃｉｆｉｃａｔｉｏｎ  ｆｏｒ  Ｒｅｔｒｏｒｅｆｌｅｃｔｉｎｇ  ｎｕｍｂｅｒ  ｐｌａｔｅｓには再帰反射規格の図１に示された再帰反射すべき最小限の領域が示されている。再帰反射しなくてもよい領域は図３におけるアンテナ領域（幅６ｍｍ以内）および点線で囲まれた２つの領域である。この非反射領域は再帰反射素子の金属薄膜層を除去して電波障害を防止することができる。
また、上記に規定されている大部分の反射領域においても１μｍ程度の視認できないような細い領域で金属薄膜層を電気的に絶縁した分離領域として分断して電波障害を防止しておくことが好ましい。分離領域の大きさや形状は特に制限は無いが０．５ｃｍ〜１０ｃｍ角の領域に分断できる。図３においては６角形の網目として表示されているが分離領域は十分に狭く外観的には容易には認識できないようにして設置されている。
図４は本発明に用いることのできるコイル形状のアンテナを示している。この様な形状のアンテナにおいてはアンテナのある部分に対応した再帰反射層の金属箔膜層をあらかじめ除去するか，前記のように金属薄膜層を電気的に絶縁した分離領域に分断しておくことが好ましい。
また、内部全反射式プリズム型再帰反射を用いることができる。この再帰反射層は再帰反射素子上に金属薄膜層が設置されていないので金属薄膜層による電波障害が発生しないので好ましい。
図５は本発明に用いることのできる超小型のループ形状のアンテナを示している。この様に小さなアンテナにおいては金属薄膜層を除去する領域が最小限にとどめられるので好ましい。
図６は、本発明による電波認識装置を具備した再帰反射性表示装置の１例として、電波認識型の交通標識の好適な態様を示す。
厚さ７．５ｍｍ、直径９０ｃｍのポリメチルアクリレート製の表面保護層１、情報表示層として交通規制情報が表面に印刷された内部全反射タイプのプリズム型再帰反射層３、円形の通信用ループアンテナと電波式認識型集積回路が７５μｍ厚さのポリエチレンテレフタレートシート上に設置された電波認識装置７および背面保護層５が接着剤層２および４によって一体となされている。
上記の背面保護層５に用いることのできる材質としては、交通標識に一般に用いられているプラスチック材料、木材、鉄板またはアルミニウム板を用いることができ、なかでも、プラスチック材料と木材が好ましい。
上記の交通標識は取付け金具８によって設置支柱９に取付けられる。
図７〜１０には、本発明による電波認識装置を具備した再帰反射性表示装置の断面構成図の好適な態様を示す。
図７は封入レンズ型再帰反射シートを再帰反射層として用いた態様を示している。図７において１０は表面保護層、１２は接着剤層、１１は印刷により再帰反射層の上に設置された情報表示層を示している。再帰反射層は表面層１３、印刷層１４：情報表示層を兼ねることができる、再帰反射素子の保持層１６、微小硝子球１７、焦点調節層１８、光を反射する金属薄膜層１９からなっている。電波認識装置は通信用アンテナ２２と電波方式認識型集積回路２３からなっており、背面保護層２１と再帰反射層との間に接着剤層２０によって接着されている。
図８はカプセルレンズ型再帰反射シートを再帰反射層として用いた態様を示している。図８において１０は表面保護層、１２は接着剤層、１４は印刷により再帰反射層の上に設置された情報表示層を示している。再帰反射層は表面層１３、再帰反射素子の結合剤層１６、微小硝子球１７、光を反射する金属薄膜層１９からなっており、表面層１３と結合剤層１６は結合部分２９によって密封封入構造を形成して空気層２７を形成している。電波認識装置は担持層２４の上に設置された通信用アンテナ２２と電波方式認識型集積回路２３からなっており、背面保護層２１と再帰反射層との間に接着剤層２０によって接着されている。
図９は内部全反射式プリズム型再帰反射シートを再帰反射層として用いた態様を示している。図９において１０は表面保護層、１２は接着剤層、１１は印刷により再帰反射層の上に設置された情報表示層を示している。再帰反射層は表面層２５、再帰反射素子の結合剤層２８、微小プリズム層２６からなっており、微小プリズム層２６と結合剤層２８は密封封入構造を形成して空気層２７を形成している。電波認識装置は通信用アンテナ２２と電波方式認識型集積回路２３からなっており、背面保護層２１と再帰反射層との間に接着剤層２０によって接着されている。
図１０は内部全反射式プリズム型再帰反射シートを再帰反射層として用いた他の態様を示している。表面保護層１０は図９の態様に比べて薄い柔軟な層として形成されておりその裏面に情報表示層１１が印刷法によって設置されて接着剤層１２によって再帰反射層に結合されている。図１０における微小プリズムは柔軟でない厚みのある層として例えば圧縮成型法や射出成型法によって成型されている。また、内部全反射するための空気層２７を形成するための結合部位２９が設置されており担持層２４の上に設置された電波認識装置２２、２３および背面保護層２１と接着剤層２０を介して結合されて密封封入構造を形成している。
次に、図１１及び１２を参照して、本発明による電波認識装置を具備した内部照明式再帰反射性表示装置の最良の形態を説明する。
図１１は、本発明による電波認識装置を具備した内部照明式再帰反射性表示装置の１例をとして、背面投光式照明装置を備えた再帰反射性交通標識の好適な態様を示す。
図１１において、３２は背面反射板３１が表面に設置された表面保護層、３３は再帰反射層、３４は内部からの光を均一に分散させるために光拡散層、３９は電波認識集積回路と通信用アンテナが設置された電波認識装置、３５は照明装置を構成する光源装置、３６は光源装置から発せられた光を前面に反射するための背面反射板、３７は内部照明式再帰反射装置を閉鎖保持する矩体を示している。
図１２は、本発明による電波認識装置を具備した内部照明式再帰反射性表示装置の他の例として、側面投光式照明装置を具備した再帰反射性交通標識の好適な態様を示す。
図１２において、３２は情報表示層３１が表面に設置された表面保護層、３３は再帰反射層、３４は内部からの光を均一に分散させるために光拡散層、３９は電波認識集積回路と通信用アンテナが設置された電波認識装置、３５は照明装置を構成する光源装置、３８は光源装置から発せられた光を前面に反射するための導光板、３７は内部照明式再帰反射装置を閉鎖保持する矩体を示している。
次に、図１３及び１４を参照して、本発明による電波認識装置を具備したＥＬ内照式再帰反射性表示装置の最良の形態を説明する。
図１３は、本発明による電波認識装置を具備したＥＬ内照式再帰反射性表示装置の１例として、電波認識型の内部照明式再帰反射性のナンバープレートの好適な態様を示す。
図１３において、４１は表面保護層、４３は表面に情報表示層が設置された再帰反射層、４４は電波認識装置が設置された層、４５はエレクトロルミネッセンスによる光源装置であり通電線４７により外部に接続されており、４６は前記の層を閉鎖保持する矩体形状の背面保護層であり、これらの層は接着剤層４２によって積層されている。
図１４は、本発明による電波認識装置を具備したＥＬ内照式再帰反射性表示装置の他の例として、電波認識型の内部照明式再帰反射性交通標識の好適な態様を示す。
図１４において、４１は表面保護層、４３は表面に情報表示層が設置された再帰反射層、４４は電波認識装置が設置された層、４５はエレクトロルミネッセンスによる光源装置であり通電線４７により外部に接続されており、４８は背面保護層である。
上記の交通標識は路側型交通標識として固定金具４９と支柱５０により道路路側に設置されていが、標識の形状はこの様な路側型に限定されず路側矩形型、頭上標識型など任意に選定できる。
【図１】
0004658605.tif 000002
【図２】
0004658605.tif 000003
【図３】
0004658605.tif 000004
【図４】
0004658605.tif 000005
【図５】
0004658605.tif 000006
【図６】
0004658605.tif 000007
【図７】
0004658605.tif 000008
【図８】
0004658605.tif 000009
【図９】
0004658605.tif 000010
【図１０】
0004658605.tif 000011
【図１１】
0004658605.tif 000012
【図１２】
0004658605.tif 000013
【図１３】
0004658605.tif 000014
【図１４】
0004658605.tif 000015